(57)【要約】【課題】  二本の木材を斜めに連結する為に、木材の連結部分に施す加工を容易に行え、加工後も木材の強度を良好な状態に保持できる木造建築部材の連結具を提供すること。【解決手段】主幹部材１に接合部材２の端面を当接して斜めに連結する為に、両者の内部に収納された状態で締結手段９１，９２によって固定される木造建築部材の連結具３であって、接合部材の接合面に設けた係合溝２１に嵌まり込む接続片４と、主幹部材の接合面に設けた嵌合穴１１に嵌まり込む状態で接続片の端部から突設する突起体５と、から構成し、突起体はカップ形状であって、その内部をボルト頭部又はナット用の収納部とし、カップ底部にボルト軸部を通す通孔を備える。接続片は長方形状であって、突起体寄りの辺の端部にＵ字型の切欠部を備え、突起体寄りの辺に対して両側辺の対向箇所に、Ｕ字型の受孔を設け、突起体とは対向する辺の端部に、係止ピンを通す取付孔を対向箇所に備える。【選択図】      図１
2006336459.tif 000002
【特許請求の範囲】
【請求項１】
主幹部材（１）に接合部材（２）の端面を当接する状態で斜めに連結する為に、両者（１，２）の内部に収納された状態で締結手段（９１，９２）によって固定される木造建築部材の連結具（３）であって、接合部材（２）の接合面に設けた係合溝（２１）に嵌まり込む接続片（４）と、主幹部材（１）の接合面に設けた嵌合穴（１１）に嵌まり込む状態で接続片（４）の端部から突設する突起体（５）と、から構成し、
突起体（５）はカップ形状であって、カップ形状の内部を主幹部材（１）用の締結手段のボルト（Ｂ）の頭部若しくはナット（Ｎ）を収める収納部（５１）とし、嵌合穴（１１）の底面の抜孔（１２）にボルト（Ｂ）の軸部を挿通する通孔（５２）を、カップ形状の底部に備えていることを特徴とする木造建築部材の連結具。
【請求項２】
接続片（４）は長方形状であって、突起体（５）を設けた辺の端部には、主幹部材用の締結手段（９１）のボルト（Ｂ）若しくはナット（Ｎ）を挿入するＵ字型の切欠部（４１）を備え、突起体（５）を設けた辺に直交する両辺の対向箇所には、係合溝（２１）を経て両側面に貫通する透孔（２２）に挿通する接合部材用の締結手段（９２）のボルト（Ｂ）の軸部を引っ掛けるＵ字型の受孔（４２）を外部に開口する状態で設けると共に、突起体（５）を設けた辺とは対向する辺の端部には、係合溝（２１）を経て両側面に貫通する貫通孔（２３）に打ち込む接合部材用の締結手段（９２）の係止ピン（Ｐ）を挿通して支持する取付孔（４３）を、対向する箇所に備えていることを特徴とする請求項１記載の木造建築部材の連結具。
【発明の詳細な説明】
【技術分野】
【０００１】
本発明は例えば柱や、土台、梁、桁等の主幹部材に、火打ちばりや、方づえ、筋かい、合掌、或いは出隅、入隅等に設ける隅木部材に取付けるもや材等の接合部材を、斜めに連結するための木造建築部材の連結具に関する。
【背景技術】
【０００２】
上記した種類の木造建築部材の連結構造は、主幹部材に形成した堀込みに、接合部材の端部を嵌込み、ボルト、ナットや、かすがいで連結する構造が従来より知られている。ところが、堀込みの加工は高度な技術を必要とする厄介な作業であり、腕の立つ職人が不足している現状もあって、加工の容易な連結構造が建築業界で望まれている。また、堀込みを形成すると、その部分の太さがその他の箇所に比べて格段に細くなり、木材の強度が大巾に低下するため、太い木材を用いないと十分な強度が得られないものであった。
【発明の開示】
【発明が解決しようとする課題】
【０００３】
本発明は上記実情に鑑みて成されたものであり、その目的とするところは、木材の連結部分に施す加工を容易に行えると共に、加工を施した後も木材の強度を良好な状態に保持できる木造建築部材の連結具を提供することである。
【課題を解決するための手段】
【０００４】
上記目的を達成するために、本発明のうち請求項１記載の発明は、主幹部材に接合部材の端面を当接する状態で斜めに連結する為に、両者の内部に収納された状態で締結手段によって固定される木造建築部材の連結具であって、接合部材の接合面に設けた係合溝に嵌まり込む接続片と、接続片の端部から主幹部材の接合面に設けた嵌合穴に嵌まり込む状態で突設する突起体と、から構成し、突起体はカップ形状であって、カップ形状の内部を主幹部材用の締結手段のボルトの頭部若しくはナットを収める収納部とし、嵌合穴の底面の抜孔にボルトの軸部を挿通する通孔を、カップ形状の底部に備えていることを特徴とする。
【０００５】
主幹部材とは柱や、土台、梁、桁等から成るものである。接合部材とは火打ちばりや、方づえ、筋かい、合掌、或いは出隅、入隅等に設ける隅木部材に取付けるもや材等から成るものである。締結手段はボルト、ナットを少なくとも備えるものである。接続片は接続片より僅かに幅広の係合溝内にがたつきなく収納される状態となる。突起体は突起体の径より僅かに大きな嵌合穴にがたつきなく収納される状態となる。
【０００６】
また、請求項２記載の発明は、接続片は長方形状であって、突起体を設けた辺の端部には、主幹部材用の締結手段のボルト若しくはナットを挿入するＵ字型の切欠部を備え、突起体を設けた辺に直交する両辺の対向箇所には、係合溝を経て両側面に貫通する透孔に挿通する接合部材用の締結手段のボルトの軸部を引っ掛けるＵ字型の受孔を外部に開口する状態で設けると共に、突起体を設けた辺とは対向する辺の端部には、係合溝を経て両側面に貫通する貫通孔に打ち込む接合部材用の締結手段の係止ピンを挿通して支持する取付孔を、対向する箇所に備えていることを特徴とする。
【発明の効果】
【０００７】
請求項１記載の木造建築部材の連結具を使用すれば、主幹部材に接合部材の端面を当接する状態で斜めに連結することができ、しかも、主幹部材と接合部材には、連結具を構成する接続片と突起体の形状に合わせて、嵌合穴や係合溝を形成するだけで良く、その上、嵌合穴や係合溝は切削工具を用いて加工することができるので、両部材に施す加工を簡便に行える。また、嵌合孔や係合溝を形成しても、各部材の太さは加工前と同じであるので、各部材の強度は加工前と遜色のない良好な状態に保持される。
【０００８】
請求項２記載の木造建築部材の連結具は、突起体を締結手段のボルト、ナットによって主幹部材に締結し、接合部材の係合溝に接続片を嵌め込むようにすると、接合部材に止めた別の締結手段のボルトの軸部が接続片の受孔に引っ掛かるし、接合部材の貫通孔から係止ピンを打ち込むだけで接続片の取付孔に固定できるので、組立作業を容易に行える。また、連結具を１８０度回転させれば、接続片が右肩上がりに傾斜する状態から左肩上がりに傾斜する状態になり、連結具を有効活用できる。
【発明を実施するための最良の形態】
【０００９】
木造建築部材の連結構造の第一実施形態は図１に示すように、直交する梁及び桁からなる二本の主幹部材１，１と、火打ちばりからなる接合部材２と、両主幹部材１，１の隅角部分に接合部材２を斜めに連結する為の連結具３と、連結具３を主幹部材１並びに接合部材２に夫々固定する締結手段９１、９２とから構成されている。
【００１０】
連結具３は図１〜図４に示してあり、そのうちの図４（イ）に基づいて説明すれば、右肩上がりに傾斜する長方形状の接続片４と、接続片４の下辺端部の中間部から下向きに突設したカップ状の突起体５とから構成される金属製品である。接続片４と突起体５を一体にする手段は、接続片４の下辺端部の中間部に、突起体５の周壁の端面の対向箇所を、押し当てた状態で強固に溶接することによって行われている。火打ちばりは梁や桁に約４５度の角度で連結する構造が一般的であるので、突起体５に対して接続片４を約４５度の角度で傾斜してある。また、連結具３は接続片４の突出方向が接合部材２の連結方向となるが、突起体５を中心にして１８０度回転させれば、右肩上がりに傾斜する状態の接続片４が、左肩上がりに傾斜する状態になり、これを利用することによって、接合部材２の両端部を同一構造の連結具３で固定できるようにしてある。
【００１１】
接続片４は数ミリの厚みの板体であり、ボルトＢ、ナットＮ、係止ピンＰからなる締結手段９２で接合部材２に固定されるもので、突起体５を設けた下辺の端部には、突起体５を固定する締結手段９１のボルトＢ若しくはナットＮを挿入する為のＵ字型の切欠部４１を備え、突起体５を設けた辺に直交する両辺の対向箇所に、ボルトＢの軸部を引掛けるＵ字型の受孔４２を外部に開口する状態で設けると共に、さらに、上辺の端部には、係止ピンＰを挿通して支持する二つの取付孔４３を対向する箇所に備えている。
【００１２】
突起体５は主幹部材１にボルトＢ、ナットＮからなる締結手段９１で固定されるもので、上向きに開口するカップ形状の内部をボルトＢの頭部若しくはナットＮを収める収納部５１となし、その底壁にボルトＢの軸部を挿通する通孔５２を備えている。なお、収納部５１の径は、ボルトＢの頭部、若しくはナットＮの径の大きさより僅かに大きい程度であっても良いし、ボルトＢの頭部、若しくはナットＮに嵌め込んで締付ける工具が入る大きさに形成してあっても良い。
【００１３】
主幹部材１は図２に示すように、その側面には、接合部材２の端面が当接する接合面の中央部分に、前記突起体５を嵌込む円盤形の嵌合穴１１を備え、嵌合穴１１の底面には、突起体５の通孔５２に対応する箇所に、ボルトＢの軸部を挿通する抜孔１２を、反対面に貫通して設けてある。
【００１４】
接合部材２は主幹部材１の側面に当接する接合面である両端面を、長手方向に対して傾斜して形成してあり、各端面には、接続片４を嵌込む係合溝２１を、主幹部材１と接合部材２の両長手方向に直交する方向に貫通し且つ接合部材２の長手方向を深さ方向とする状態で設けてある。また、接合部材２の側面には、前記した二つの受孔４２の一つ（図１で説明すれば、上側の受孔４２）の奥部に対応する箇所に、ボルトＢの軸部を挿通する透孔２２を、係合溝２１を経て反対面に貫通する状態で設けると共に、取付孔４３に対応する箇所に、係止ピンＰを打ち込んで保持する貫通孔２３を設けてある。ところで係合溝２１は、主幹部材１の長手方向に対して平行となる二辺を二等分する箇所に設けることが、接合部材２の強度上最も望ましいが、多少ずれた箇所に設けても何等支障ない。なお、主幹部材１と接合部材２には、丸ノコやドリル等の切削工具を用いて加工を行う。
【００１５】
上記した第一実施形態の組立手順を以下に説明する。まず、各主幹部材１の嵌合穴１１に連結具３の突起体５を夫々嵌込み、接続片４が接合部材２の架設方向を向くように調整した後に、締結手段９１を用い、突起体５の通孔５２から主幹部材１の抜孔１２にボルトＢの軸部を挿通し、ナットＮを締付けて連結具３を固定する。次に、接合部材２の各端部に有する透孔２２に、締結手段９２のボルトＢを夫々挿通して、ナットＮを締付ける。続いて、接続片４の上方から接合部材２を下ろして、接合部材２の係合溝２１に接続片４を嵌め込むようにすると、接合部材２に固定したボルトＢの軸部が、接続片４の受孔４２に引掛っかり、接合部材２が接続片４に支持される。最後に、接合部材２の貫通孔２３から、接続片４の取付孔４３に係止ピンＰを打ち込んで固定する。
【００１６】
上記した組み立て作業は、ボルトＢの軸部が受孔４２に引っ掛かることから、組立作業を一人で行える。また、受孔４２の開口幅は、先部に近付くに連れて徐々に幅広くなるように設けてあるので、接合部材２に固定したボルトＢの軸部を、接続片４の受孔４２に引掛ける作業が行い易くなっている。なお、係止ピンＰは接合部材２から食み出さないように、貫通孔２３と同じか、若しくは幾分短い長さにして、体裁を良くしてある。
【００１７】
木造建築部材の連結構造の第二実施形態は図５に示すように、大きな接続片４を用いた場合には、連結具３の突起体５を複数個設けると共に、係止ピンＰを保持する取付孔４３を多数設けたことを特徴とするものである。この場合、主幹部材１には、突起体５の数に合わせて嵌合穴１１を設け、接合部材２には、取付孔４３の数に合わせて貫通孔２３を設けておくものである。突起体５は円形の底部を有するカップ形状であっても良いし、方形の底部を有するカップ形状であっても良い。なお、図６に示すように、接続片４と突起体５は元々別体であり、これを溶接して一体としたものであるが、突起体５を接続片４に強固に溶接するために、突起体５の周壁の対向箇所をＶ字型に切欠き、その切欠いた部分を接続片４の切欠部４１の周縁部に押し当てた状態で溶接することによって、溶接面積を広くして補強してある。この場合、接合部材２の接合面に形成した係合溝２１の入り口側部分を、突起体５の周壁の補強部分を嵌め込む為に切削しておく必要がある。
【００１８】
木造建築部材の連結構造は上記実施形態に限定されるものではない。例えば、一枚の接続片４と突起体５とから構成される連結具３は、図１では接続片４を接合部材２の架設方向を向くようにすると、接続片４の、主幹部材１に当接する辺が、直立した状態となる構造であったが、この構造に限らず、接続片４を接合部材２の架設方向を向くようにした際に、接続片４の、主幹部材１に当接する辺が、傾斜した状態となる構造や、水平な状態となる構造であっても良く、この場合、接続片４を嵌め込む接合部材２の係合溝２１は、主幹部材１と接合部材２の両長手方向に直交する方向に貫通する状態で設けるのではなく、連結具３の接続片４の傾斜具合に応じて貫通する状態で設けておけば良い。また、一枚の接続片４と突起体５とから構成される連結具３は、接続片４の突出方向が接合部材２の架設方向と完全に一致する状態となるように形成してあるが、多少ずれても良く、この場合、接合部材２の係合溝２１の深さ方向は、接合部材２の長手方向に対して平行ではなく、接続片４の突出方向に応じて設ければ良い。
【００１９】
さらに、連結具３の突起体５に形成した収納部５１内にナットＮを予め溶接して一体として設けておいても良い。また、連結具３は突起体５を接続片４に対して約４５度の角度で斜めに突設してあるが、必ずしもこの突設角度に限定されるものではなく、主幹部材１と接合部材２の連結角度に応じて変えることは何等差し支えない。その他には、接続片４は受孔４２を有しない構造であっても良く、この場合、接続片４を接合部材２に固定する際には、接続片４の取付孔４３と、接合部材２の貫通孔２３を一致させ、その状態を保持しつつ貫通孔２３から取付孔４３にボルトＢの軸部を挿通し、ナットＮを締付けて固定する。
【図面の簡単な説明】
【００２０】
【図１】木造建築部材の連結構造の第一実施形態を示す斜視図である。
【図２】第一実施形態の要部を拡大した状態を示す断面図である。
【図３】第一実施形態に使用する連結具の斜視図である。
【図４】（イ）（ロ）（ハ）（ニ）図は、第一実施形態に使用する連結具の底面図、正面図、左側面図、Ａ−Ａ線断面図である。
【図５】木造建築部材の連結構造の第二実施形態を示す斜視図である。
【図６】突起体と接続片を一体にする手段を示す斜視図である。
【符号の説明】
【００２１】
１主幹部材、２接合部材、３連結具、４接続片、５突起体、１１嵌合穴、１２抜孔、
２１係合溝、２２透孔、２３貫通孔、４１切欠部、４２受孔、４３取付孔、
５１収納部、５２通孔、９１締結手段、９２締結手段
【図１】
2006336459.tif 000003
【図２】
2006336459.tif 000004
【図３】
2006336459.tif 000005
【図４】
2006336459.tif 000006
【図５】
2006336459.tif 000007
【図６】
2006336459.tif 000008